(57)【要約】【課題】この発明は、筆一体式塗布具でありながら、塗布ムラなどが発生しにくい塗布具を提供すること。【解決手段】容器本体の頂部に容器栓を取り付け、その容器栓の内面側に、軸部を介して筆部を容器栓と一体に成型する筆一体式塗布具であって、前記筆部の塗布面側が塗布面と線接触又は点接触する構成としたことを特徴とする。【選択図】    図２
2004196371.tif 000002
【特許請求の範囲】
【請求項１】
容器本体の頂部に容器栓を取り付け、その容器栓の内面側に、軸部を介して筆部を容器栓と一体に成型する筆一体式塗布具であって、前記筆部の塗布面側が塗布面と線接触又は点接触する構成としたことを特徴とする筆一体式塗布具。
【請求項２】
筆部が三角錐又は四角錐からなることを特徴とする請求項１記載の筆一体式塗布具。
【請求項３】
筆部を複数本の突棒で形成し、各突棒で構成される突棒列を塗布面に対して二列以上設けるようにしたことを特徴とする請求項１又は２記載の筆一体式塗布具。
【請求項４】
突棒の側壁に、長手方向に延伸する切込み部を形成したことを特徴とする請求項１乃至３の何れかに記載の筆一体式塗布具。
【請求項５】
塗布具が直鎖状低密度ポリエチレン（ＬＬＤＰＥ）で成型されることを特徴とする請求項１乃至４の何れかに記載の筆一体式塗布具。
【発明の詳細な説明】
【０００１】
【発明の属する技術分野】
本発明は、例えばエナメルの化粧料容器などで利用される筆一体式塗布具に関する。
さらに詳しくは、爪にエナメルを塗布するためのエナメル用の塗布具の例が好適であり、このエナメル容器本体の頂部に容器栓を螺着又は嵌着方式などで取り付け、その容器栓の内面側に軸部を介して筆部を一体に成型する筆一体式塗布具であって、その筆部の塗布面側が塗布面と線接触又は点接触できる構成とした筆一体式塗布具に関するものである。
【０００２】
【従来の技術】
従来、容器栓に軸部を介して筆部を一体に成型してなる筆一体式塗布具は、知られている（例えば、特許文献１乃至３参照）。
【０００３】
【特許文献１】
特開平９−１８２６１６号公報（図１）
【特許文献２】
実公昭２９−８４９６号公報（図２）
【特許文献３】
実公昭５４−２３４８６号公報（図１乃至３）
【０００４】
【発明が解決しようとする課題】
上記の通り、筆一体式塗布具は、塗布具の全体を樹脂などで一体成型することで材料費を低減させたり、組み付け等の工程を省略させたりするメリットがあり、広く活用されてきた。
【０００５】
しかしながら、筆部を容器栓などと一体に成型すると、その成型技術より筆部は板状あるいは面状に形成されてしまうのが一般的であった。
このような板状あるいは面状に形成された筆部を使用してエナメルを爪に塗布すると、一旦塗布したエナメルが筆部の先端などで掻き取られ、その掻き取りに起因するエナメルの濃淡で筋が表れ、それが塗布ムラになるという問題があった。仮に筆部を細い線からなる線状体で形成する場合には、筆部の成型加工が困難となり、たとえ成型加工が行えたとしても、その完成品の筆部は強度が不足して実用に耐えないという問題があった。
【０００６】
この発明は、筆一体式塗布具でありながら、塗布ムラなどが発生しにくい塗布具を提供して、上述の全ての問題点を解消しようとするものである。
【０００７】
【課題を解決するための手段】
本発明の上記目的を達成するために請求項１は、容器本体の頂部に容器栓を取り付け、その容器栓の内面側に、軸部を介して筆部を容器栓と一体に成型する筆一体式塗布具であって、前記筆部の塗布面側が塗布面と線接触又は点接触する構成としたことを特徴とする筆一体式塗布具である。
【０００８】
請求項２は、筆部が三角錐又は四角錐からなることを特徴とする請求項１記載の筆一体式塗布具である。
【０００９】
請求項３は、筆部を複数本の突棒で形成し、各突棒で構成される突棒列を塗布面に対して二列以上設けるようにしたことを特徴とする請求項１又は２記載の筆一体式塗布具である。
【００１０】
請求項４は、突棒の側壁に、長手方向に延伸する切込み部を形成したことを特徴とする請求項１乃至３の何れかに記載の筆一体式塗布具である。
【００１１】
請求項５は、塗布具が直鎖状低密度ポリエチレン（ＬＬＤＰＥ）で成型されることを特徴とする請求項１乃至４の何れかに記載の筆一体式塗布具である。
【００１２】
上記した本発明に係る筆一体式塗布具によれば、材料費の低減と、成型加工の容易化が図られ、塗布面への化粧料の塗布が容易、かつきれいに行えることとなる。
【００１３】
【発明の実施の形態】
以下添付図面に基づいて、本発明に係る筆一体式塗布具の一実施の形態を詳説する。
【００１４】
図１は、本発明に係る筆一体式塗布具を備えた容器本体の一部を断面にした正面図、図２は筆一体式塗布具の正面図、図３は同側面図、図４は図２におけるＡ−Ａ線断面図、図５は同Ｂ−Ｂ線断面図、図６は同Ｃ−Ｃ線矢視図、図７は筆部の他の実施例の正面図、図８は図７におけるＤ−Ｄ線矢視図、図９及び図１０は突棒の他の実施例の斜視図である。
【００１５】
図１に従って説明すると、エナメルの化粧料容器１は容器本体２と容器栓３とで構成され（図の例では、容器栓３は容器本体２の頂部２ａに密嵌状に嵌着しており、打栓式を採用している）、容器栓３の内面側には軸部４が一体成型されており、さらにその先には筆部５が一体成型されている。
【００１６】
このように、容器栓３と軸部４と筆部５とは、全体が一体成型される一体式塗布具を形成しており、その素材として直鎖状低密度ポリエチレン（ＬＬＤＰＥ）を採用することが好ましい。ここでＬＬＤＰＥは、エチレンにオレフィンを少量加えて共重合したものであり、低密度ポリエチレン（ＬＤＰＥ）より耐ストレスクラッキング性に優れ、分子量の低いものは透明性も有しているため、高い耐ストレスクラッキング性が要求される容器栓３には好適なものとなる。
【００１７】
本発明の筆部５は、その塗布面側が塗布面と線接触又は点接触する構成（図５、図６、図８乃至１０参照）に仕上られている。このためこの筆部５で塗布面にエナメルなどを塗布すると、筆部５の塗布面側が爪などの塗布面と線接触又は点接触するので、塗布面に塗布したエナメルなどが掻き取られないものとなる。
【００１８】
上記の構成を採用するためには、筆部５の構成は図５、図６、図８乃至１０に示されるように、三角錐又は四角錐の形態を採ることが好ましい。
【００１９】
さらに筆部５を複数本の突棒６で形成し、各突棒６の突棒列７を二列以上に構成すると、突棒列７間の隙間８に化粧料などを十分保持させることができ、筆部５の化粧料の含みがよくなるため、筆部５による塗布の際に化粧料の伸びがよくなり、化粧料の掻き取りが軽減し、化粧料をきれいに塗れるようになる。
【００２０】
ここで突棒６の具体的大きさとしては、好ましくは、長さ１０ｍｍ、根元部幅寸約０．７ｍｍ、先端部幅寸０．３mmのテーパー状とする。また突棒列７間の隙間８の寸法は０．１〜０．５mm程度が好ましい。このようにすることで、各突棒６のしなやかさを確保できるとともに、化粧料保持力も十分確保できるようになる。
【００２１】
また突棒６の側壁６ａに、長手方向に延伸する切込み部９を形成しておくと、この切り込み部９に化粧料などが毛細管現象で保持されるため、筆部５の化粧料の含みがよくなるため、筆部５による塗布の際に化粧料の伸びがよくなり、化粧料の掻き取りが軽減し、化粧料をきれいに塗れるようになる。
【００２２】
本発明の筆一体式塗布具は、エナメルなどの爪化粧料に限られず、液状化粧料（塗布タイプ）に応用することができることはいうまでもない。
【００２３】
【発明の効果】
以上述べたように、本発明の請求項１に係る筆一体式塗布具によれば、筆一体式塗布具でありながら、塗布ムラなどが発生しにくい塗布具が得られる等の優れた効果を達成することができる。
【００２４】
請求項２に係る筆一体式塗布具によれば、筆部の強度が十分で、使いやすい塗布具が得られるという効果がある。
【００２５】
請求項３および請求項４に係る筆一体式塗布具によれば、使いやすい塗布具であって、化粧料の保持力に優れ、きれいな塗布が行えるという効果がある。
【００２６】
請求項５に係る筆一体式塗布具によれば、高い耐ストレスクラッキング性が要求される容器栓３には好適なものとなる効果がある。
【図面の簡単な説明】
【図１】本発明に係る筆一体式塗布具を備えた容器本体の一部を断面にした正面図である。
【図２】筆一体式塗布具の正面図である。
【図３】同側面図である。
【図４】図２におけるＡ−Ａ線断面図である。
【図５】同Ｂ−Ｂ線断面図である。
【図６】同Ｃ−Ｃ線矢視図である。
【図７】筆部の他の実施例の正面図である。
【図８】図７におけるＤ−Ｄ線矢視図である。
【図９】突棒の他の実施例の斜視図である。
【図１０】突棒の他の実施例の斜視図である。
【符号の説明】
１…化粧料容器
２…容器本体
２ａ…容器本体の頂部
３…容器栓
４…軸部
５…筆部
６…突棒
６ａ…突棒の側壁
７…突棒列
８…突棒列間の隙間
９…切込み部
【図１】
2004196371.tif 000003
【図２】
2004196371.tif 000004
【図３】
2004196371.tif 000005
【図４】
2004196371.tif 000006
【図５】
2004196371.tif 000007
【図６】
2004196371.tif 000008
【図７】
2004196371.tif 000009
【図８】
2004196371.tif 000010
【図９】
2004196371.tif 000011
【図１０】
2004196371.tif 000012